(57)【要約】【課題】釣竿保持装置を板状垂下部を有する船縁に装着する場合に、該板状垂下部を利用して従来より安定な装着を提供する。【解決手段】釣竿を船縁に保持する釣竿保持装置であって、該釣竿保持装置はＬ字状部２０を具備する本体部２２を有し、該Ｌ字状部は、船縁上面に対面する第１部Ｄ１と、側面３０Ｓに対面する第２部Ｄ２とを有しており、本体部に装着されて船縁を下方からクランプすることのできる緊締螺子杆２４を具備し、前記第２部よりも所定量前方に位置しているか、位置させることが可能でその位置に保持可能であると共に、高さ位置が調節可能でかつその高さに保持可能な垂下部用部材２６Ａを具備するよう構成する。【選択図】        図１
2006034196.tif 000002
【特許請求の範囲】
【請求項１】
釣竿を船縁に保持する釣竿保持装置であって、
該釣竿保持装置はＬ字状部を具備する本体部を有し、該Ｌ字状部は、船縁上面に対面する第１部と、側面に対面する第２部とを有しており、
本体部に装着されて船縁を下方からクランプすることのできる緊締螺子杆を具備し、
前記第２部よりも所定量前方に位置しているか、位置させることが可能でその位置に保持可能であると共に、高さ位置が調節可能でかつその高さに保持可能な垂下部用部材を具備している
ことを特徴とする釣竿保持装置。
【請求項２】
前記垂下部用部材は、前記第２部との間の間隔を調節可能であり、その調節位置を保持可能である請求項１記載の釣竿保持装置。
【請求項３】
前記垂下部用部材の後ろ側に他の部材を配設し、該２つの部材の間隔は調節可能であり、それらの調節位置を保持可能である請求項１記載の釣竿保持装置。
【発明の詳細な説明】
【技術分野】
【０００１】
本発明は、船縁の船内側側部において垂下した板状垂下部を有する船縁に装着させる釣竿保持装置に関する。
【背景技術】
【０００２】
船釣では、釣竿保持装置を船縁に装着し、これに釣竿を保持させて当たりを待ったり、係った魚とのやり取りを行うことが多い。釣竿保持装置の例として下記特許文献１や本出願人による特許文献２に開示がある。魚とのやり取りでは、該釣竿保持装置に複雑で大きな力が作用する。従って、釣竿保持装置の装着をより安定させる工夫が望まれる。
【特許文献１】実開平６−８１２７７号公報
【特許文献２】特開平９−２８２５９号公報
【特許文献３】特許第２９７３３０４号公報
【発明の開示】
【発明が解決しようとする課題】
【０００３】
ところが、船縁にも、単純なＬ字状やＴ字状のもの以外に、上記特許文献３の図６の（Ｂ）に示されるような、船内側において垂下した板状垂下部を有するものがある。こうした板状垂下部を有する船縁に釣竿保持装置を装着させる場合は、従来からのクランプ作用に加え、この板状垂下部をも利用して釣竿保持装置の装着をより安定させたい。
従って解決しようとする課題は、釣竿保持装置を板状垂下部を有する船縁に装着する場合に、該板状垂下部を利用して従来より安定な装着を提供することである。
【課題を解決するための手段】
【０００４】
請求項１に係る発明では、釣竿を船縁に保持する釣竿保持装置であって、該釣竿保持装置はＬ字状部を具備する本体部を有し、該Ｌ字状部は、船縁上面に対面する第１部と、側面に対面する第２部とを有しており、本体部に装着されて船縁を下方からクランプすることのできる緊締螺子杆を具備し、前記第２部よりも所定量前方に位置しているか、位置させることが可能でその位置に保持可能であると共に、高さ位置が調節可能でかつその高さに保持可能な垂下部用部材を具備していることを特徴とする釣竿保持装置を提供する。
高さ位置の調節とは、ネジ機構による調節の様に、任意の位置に設定可能に調節できることが好ましいが、２箇所以上の所定位置に移動保持できる場合も含む。
【０００５】
請求項２では、前記垂下部用部材は、前記第２部との間の間隔を調節可能であり、その調節位置を保持可能である請求項１記載の釣竿保持装置を提供する。
請求項３では、前記垂下部用部材の後ろ側に他の部材を配設し、該２つの部材の間隔は調節可能であり、それらの調節位置を保持可能である請求項１記載の釣竿保持装置を提供する。
【発明の効果】
【０００６】
本発明の請求項１では、第１に、緊締螺子杆により船縁を下方からクランプし、従来からのクランプ作用を確保する。更には、本体部のＬ字状部の第２部と、その所定量前方に位置すると共に高さ位置を調節された垂下部用部材との間に、船縁の板状垂下部が位置するように設置する。これにより、釣竿保持装置は、船縁の板状垂下部によって前後方向の動きや回動が規制される。従って、仮に緊締螺子杆による従来のクランプ作用での拘束力が不足して釣竿保持装置が後方に移動しようとしたり、緊締螺子杆が１本でも複数本でも上下方向の軸を中心として回動しようとしても、こうした動きが防止され、安定する。板状垂下部を有しない船縁の場合は、緊締螺子杆のみによりクランプすれば、従来通りのクランプ力が得られる。
【０００７】
請求項２では、第２部との間の間隔を調節可能であり、その調節位置を保持可能であるため、板状垂下部は、その後面を第２部により、前面を垂下部用部材により、夫々当接するように挟持できるため、緊締螺子杆による従来のクランプ作用での拘束力が不足して釣竿保持装置が後方に移動しようとしたり、上下方向軸を中心として回動しようとしても、こうした動きが阻止でき、非常に安定する。
請求項３では、垂下部用部材と他の部材との間に板状垂下部を位置させ、これにより釣竿保持装置を拘束させるため、従来のクランプ作用での拘束力が不足して釣竿保持装置が後方に移動しようとしたり、上下方向軸を中心として回動しようとしても、こうした動きが阻止でき、安定する。
【発明を実施するための最良の形態】
【０００８】
以下、本発明を図面を用いて詳細に説明する。図１は、本発明に係る釣竿保持装置を船縁に装着した状態の部分断面側面図、図２は船縁を切断し、船の外側から見た正面図、図３は図２の位置Ｃにおいて本体部を切断した状態の図１に対応する図である。釣竿保持装置は、釣竿１０の後部を挟持して前後方向に回動可能な釣竿挟着具１４と、釣竿を受ける受け部１２Ｕを有する釣竿受体１２と、前後方向に回動可能な回動台１６と、この回動台を支持すると共に、船縁３０に装着させる本体部２２とを有している。
【０００９】
船縁３０は、船内側端部において垂下した板状垂下部３０Ａを有するものである。本体部２２は、船縁３０の上面に対面して当接する前後方向に延伸した第１部Ｄ１と、該第１部に連続し、上下方向に延伸し、船縁の船内側端部面（側面）３０Ｓに当接できる第２部Ｄ２と、該第２部の下端部に連続し、前後方向に延伸した第３部Ｄ３とを有している。第１部と第２部とがＬ字状部２０を形成しているが、第３部も合わせると、全体として一体のコ字状体２１である。左右一個づつの一対のコ字状体２１は、左右方向に延伸した第４部Ｄ４等によって連結されており、これら全体が本体部２２である。
【００１０】
前記第３部Ｄ３の先部には、外周に雄ネジの設けられた緊締螺子杆２４が上下動可能に螺合されている。この緊締螺子杆は、前記第１部Ｄ１との間で船縁３０を下方から押圧してクランプする。この形態例では一対、即ち左右に一本づつ設けているが、数は任意である。この第３部Ｄ３は第２部Ｄ２に一体に連続しているが、分離されていて、第２部に沿って上下動可能に構成されていてもよい。本願では、第１部と第２部が概ね直角に一体に連続していればよい。
【００１１】
前記第４部Ｄ４の左右方向中央位置には、外周に雄ネジの設けられた螺子杆２８が上下動可能に螺合されている。この螺子杆２８の上部には横断面がＬ字状のアングル板部材２６が取り付けられている。Ｌ字の２辺の内、所定長さの一辺が前後方向に延伸し、他辺は上方向に延伸して、板部材２６としては左右方向に延伸している。螺子杆２８によってこの板部材２６の高さ位置を調節し、板部材２６の上方向に延伸している他辺を成す前面部（垂下部用部材）２６ＡはＬ字状部２０の第２部Ｄ２よりも前方に位置しており、この前面部と第２部との間に板状垂下部３０Ａを位置させる。これにより、緊締螺子杆２４によるクランプ力不足に起因する釣竿保持装置の移動や回動を防止でき、安定する。
【００１２】
この例では、緊締螺子杆２４は左右合計２本設けられているが、一方の締め付け力が強く、他方が弱いということが有り得て（３本以上でも同様）、この場合、締付の強い一方を中心に釣竿保持装置が回動し易くなるが、この場合でも、板状垂下部３０Ａが前面部２６Ａ又は第２部Ｄ２に前記回動に対して対抗するように当接して回動を阻止できる。また、船縁３０の、船内側端部に板状垂下部３０Ａが位置するため、これに対応して板部材２６の前面部２６Ａを緊締螺子杆２４の後方位置に位置させることで、緊締螺子杆２４と第１部Ｄ１とで船縁３０を上下方向からクランプし、前面部２６Ａと第２部Ｄ２とで板状垂下部３０Ａを前後から挟むことにより、釣竿保持装置を上下方向と前後方向との直交２方向に拘束するので、船縁の構造を利用しつつ移動や回動を効果的に防止できる。
【００１３】
上記説明では、前面部２６Ａは第２部Ｄ２の定まった所定量前方位置にあるため、板状垂下部３０Ａはこの前面部２６Ａの後面と、第２部Ｄ２の前面とによって押圧挟持されるとは限らず、両者の幅が一致した時は押圧挟持されるが一般には隙間を有する。この隙間による多少の動きは防止できないが、板部材２６が前後方向に移動調節できて、その調節位置に保持できれば、隙間をなくすことができ、非常に安定する。
【００１４】
これを達成するために、板部材２６に装置の前後方向に長い長孔を設け、前面部２６Ａの前後位置を調節し、螺子杆２８に対するその位置に、蝶ナット等によって保持固定すればよい。また、螺子杆２８の上部に他の部材を固定しておき、この他部材に対して板部材２６を移動調節させてもよい。また、板部材を前後方向に移動させ保持するのは、前後方向に延伸する他の螺子杆を設け、これで行ってもよい。
【００１５】
更には、板部材２６を任意の高さ位置に調節可能な螺子杆２８を使用せず、高さ方向に２箇所以上の複数位置において保持可能にすべく、離散的な複数の高さ位置を調節可能に構成してもよい。板部材２６もこの例の形に限らず、要は、第２部Ｄ２との間に板状垂下部３０Ａを位置させればよい。
【００１６】
次には、板状垂下部３０Ａを第２部Ｄ２を使用しないで挟む形態例を説明する。例えば図４に示すように、横断面がＬ字状アングル板部材２７Ａ，２７Ｂを使用する。夫々の板部材には、前後方向に長孔を設けておき、夫々の前後方向位置を調節し、最後に蝶ナット等を含むナット部材等で保持固定する。高さ位置は螺子杆２８等によって調節保持する。この場合、後側の板部材２７Ｂは第２部Ｄ２の前面と同じ位置か、それ以上前方に位置させる。これにより、２つの板部材２７Ａ，２７Ｂの間に板状垂下部３０Ａを挟持保持できる。この場合も、非常に丈夫な第２部Ｄ２を使用する場合程ではないが、釣竿保持装置が安定する。長孔に代わって螺子杆等によって前後に移動させてもよいことは勿論である。
【産業上の利用可能性】
【００１７】
本発明は、釣竿保持装置に利用できる。
【図面の簡単な説明】
【００１８】
【図１】図１は本発明に係る釣竿保持装置の使用中の側面図である。
【図２】図２は図１の装置の断面正面図である。
【図３】図３は図２の位置Ｃにおいて本体部を切断した状態の側面図である。
【図４】図４は本発明の他の形態例を示す図３に対応する図である。
【符号の説明】
【００１９】
２０                      Ｌ字状部
２２                      本体部
２４                      緊締螺子杆
２６Ａ                    板状部材の前面部（垂下部用部材）
３０                      船縁
３０Ａ                    板状垂下部
Ｄ１                      第１部
Ｄ２                      第２部
【図１】
2006034196.tif 000003
【図２】
2006034196.tif 000004
【図３】
2006034196.tif 000005
【図４】
2006034196.tif 000006